(57)【要約】【課題】  表示装置の数を減らしてカメラの小型化やコストダウンを図る。【解決手段】  再生モード設定時に記録済みの画像を表示可能な画像モニタ装置と、被写体像を観察するファインダと、撮影者がファインダを覗いているか否かを検知する検知装置とを有し、撮影者がファインダを覗いていないことが検知され、かつ再生モードが設定されていないときには、カメラで設定されている撮影条件の設定状況を画像モニタ装置に表示し、それ以外の場合は、撮影条件の設定状況を非表示とする。撮影条件の設定状況をグラフィカルに行うことで、視認性および操作性を高めることができる。【選択図】        図５
2006060313.tif 000002
【特許請求の範囲】
【請求項１】
再生モード設定時に記録済みの画像を表示可能な画像モニタ装置と、
撮影者が撮影動作を行っているか否かを判定する判定手段とを有し、
撮影者が撮影動作を行っていないと判定され、かつ前記再生モードが設定されていないときには、カメラで設定されている撮影条件の設定状況を前記画像モニタ装置に表示し、それ以外の場合は、前記撮影条件の設定状況を非表示とすることを特徴とするデジタルスチルカメラ。
【請求項２】
前記判定手段は、撮影者がファインダを覗いていることを検知したときに前記撮影動作を行っていると判断し、ファインダを覗いていないことを検知したときに前記撮影動作を行っていないと判断することを特徴とする請求項１に記載のデジタルスチルカメラ。
【請求項３】
前記撮影条件の設定状況を前記画像モニタ装置に表示する際、記録済みの画像およびその画像に対する撮影条件をも同時に表示可能としたことを特徴とする請求項１または２に記載のデジタルスチルカメラ。
【請求項４】
前記撮影条件の設定状況と、記録済みの画像に対する撮影条件とで表示形態を変えることを特徴とする請求項３に記載のデジタルスチルカメラ。
【請求項５】
撮影条件は絞り値およびシャッタ秒時を含み、露出制御モードに応じて該絞り値およびシャッタ秒時の表示形態を変えることを特徴とする請求項１〜４のいずれかに記載のデジタルスチルカメラ。
【請求項６】
前記撮影条件の設定状況は、グラフィカルな表示とされることを特徴とする請求項１〜５のいずれかに記載のデジタルスチルカメラ。
【請求項７】
前記撮影条件は複数の項目があり、予め表示すべき項目を選択可能としたことを特徴とする請求項１〜６のいずれかに記載のデジタルスチルカメラ。
【請求項８】
前記画像モニタ装置はバックライトを有し、画像を表示せずに前記撮影条件の設定状況を表示するときには、該バックライトを消灯することを特徴とする請求項１〜７のいずれかに記載のデジタルスチルカメラ。
【請求項９】
画像やそれ以外の情報を表示可能なモニタ装置と、
撮影者が前記モニタ装置を視認し得ない状況を検知する検知装置とを有し、
前記状況が検知されると前記画像モニタ装置を非表示状態とすることを特徴とするデジタルスチルカメラ。
【発明の詳細な説明】
【技術分野】
【０００１】
本発明は、画像表示用のモニタ装置を有するデジタルスチルカメラに関し、状況に応じてモニタ表示形態を切換えるようにしたものである。
【背景技術】
【０００２】
一般的なデジタルスチルカメラは、カメラボディの背面に大型の画像表示用液晶モニタを有するとともに、ボディ上面に小型の撮影条件表示用の液晶表示パネルを有している（例えば、非特許文献１参照）。カメラで再生モードを設定することで、既に撮影され記録されている画像を背面のモニタに表示することができる。一方、ボディ上面のパネルには、絞り値やシャッタ秒時などの撮影条件の設定状況が表示され、撮影者はその表示を見て設定絞り値や設定シャッタ秒時の確認・変更を行うことができる。
【０００３】
【非特許文献１】株式会社ニコン  デジタル一眼レフカメラＤ１００  カタログ  ２００３年９月１５日現在
【特許文献１】特開平５−３３３２５８号公報
【発明の開示】
【発明が解決しようとする課題】
【０００４】
しかしながら、背面のモニタおよび上面のパネルといった２つの表示装置を設けることは、部品点数や配置スペースの面で不利であり、カメラの大型化やコストアップを招来する。
【課題を解決するための手段】
【０００５】
本発明に係るデジタルスチルカメラは、再生モード設定時に記録済みの画像を表示可能な画像モニタ装置と、撮影者が撮影動作を行っているか否かを判定する判定手段とを有し、撮影者が撮影動作を行っていないと判定され、かつ再生モードが設定されていないときには、カメラで設定されている撮影条件の設定状況を画像モニタ装置に表示し、それ以外の場合は、撮影条件の設定状況を非表示とする。
ここで、撮影条件の設定は本発明でいう「撮影動作」には含まれない。「撮影動作」とは、撮影条件の設定（変更）の後に、撮影者が次の撮影のためにとるべき動作を表す。
請求項２の発明は、撮影者がファインダを覗いていることを検知したときに撮影動作を行っていると判断し、ファインダを覗いていないことを検知したときに撮影動作を行っていないと判断するものである。
請求項３，４の発明は、撮影条件の設定状況を前記画像モニタ装置に表示する際、記録済みの画像およびその画像に対する撮影条件をも同時に表示可能としたものである。撮影条件の設定状況と、記録済みの画像に対する撮影条件とで表示形態を変えてもよい。
請求項５の発明は、撮影条件が絞り値およびシャッタ秒時を含み、露出制御モードに応じて絞り値およびシャッタ秒時の表示形態を変えるようにしたものである。
請求項６の発明は、撮影条件の設定状況をグラフィカルに表示するようにしたものである。
請求項７の発明は、予め表示すべき撮影条件を選択可能としたものである。
請求項８の発明は、画像を表示せずに撮影条件の設定状況を表示するときには、モニタのバックライトを消灯するようにしたものである。
請求項９の発明に係るデジタルスチルカメラは、画像やそれ以外の情報を表示可能なモニタ装置と、撮影者がモニタ装置を視認し得ない状況を検知する検知装置とを有し、上記状況が検知されると画像モニタ装置を非表示状態とする。
【発明の効果】
【０００６】
本発明によれば、撮影者が撮影動作を行っていないことが検知され、かつ再生モードが設定されていないときには、カメラで設定されている撮影条件の設定状況を画像モニタ装置に表示するようにした。撮影者が撮影動作を行っていないということは、画像モニタ装置を視認し得る状況を意味し、また再生モードが設定されていないということは、記録済み画像を確認する状況でないことを意味するから、このとき撮影条件の設定状況を画像モニタ装置に表示することで、撮影者は画像モニタ装置にて撮影条件の確認や変更を行える。これによれば、撮影条件表示用のパネル（ボディ上面のパネル）を廃止することができ、カメラの小型化およびコストダウンが図れる。
【発明を実施するための最良の形態】
【０００７】
図１〜図５により本発明の一実施の形態を説明する。
図１は本実施形態に係るデジタルスチルカメラの背面図であり、ボディ背面には、ファインダの接眼部１，画像表示用液晶モニタ（以下、背面モニタ）２，複数の押しボタン３やマルチセレクタ４などの操作部材が設けられている。背面モニタ２には、既に撮影・記録された画像が表示される他、測光モード，絞り値，シャッタ秒時などの撮影条件の設定状況も表示可能とされる。そのため本実施形態のカメラは、撮影条件表示用の液晶パネル（上面パネル）は有していない。
【０００８】
図２は制御系のブロック図である。撮影レンズ１１を透過した被写体光束は、ＣＣＤ等の撮像素子１２に受光され、その光電変換出力が画像信号として画像変換／処理部１３に入力される。画像変換／処理部１３は、アナログ信号処理部，Ａ／Ｄ変換部，デジタル信号処理部などを含み、ここで処理されたデータが記録部１４によりメモリカードＭＣに記録される。これらの画像変換／処理部１３や記録部１４などは、ＣＰＵ２１により制御される。
【０００９】
ＣＰＵ２１にはまた、上記背面モニタ２を駆動する液晶ドライバ２２が接続されるとともに、視線検知装置２３が接続されている。液晶ドライバ２２は、背面モニタ２の液晶およびバックライトの駆動を行う。視線検知装置２３は、ファインダを覗く目の位置に赤外線を照射する投光手段と、角膜で反射された光と眼球全体の像を受光する受光手段とを有する。受光手段の出力信号はＣＰＵ２１に入力され、ＣＰＵ２１は、その信号に基づいて視線入力演算を行い、撮影者の視認方向を認識する。この視線検知結果に基づき、撮影者の見ている箇所にピントを合わせたり、カメラ設定を変更することが可能である（例えば、特許文献１参照）。また、受光手段の出力に基づいて、撮影者がファインダを覗いているか否かを判断することができ、その判断にのみ視線検知装置２３を用いるのであれば、複雑な視線入力演算は不要である。
【００１０】
さらにＣＰＵ２１には、電源スイッチＳＷ１と、レリーズボタンの押圧操作でオンするレリーズスイッチＳＷ２と、押しボタン３やマルチセレクタ４などの操作でオン・オフするスイッチ群（統括してＳＷ３で示す）が接続されている。ＣＰＵ２１は、これらのスイッチの状態から各操作部材の操作状況や設定モードを検知する。例えばレリーズスイッチＳＷ２がオンすると、ＣＰＵ２１はミラーアップやシャッタ開閉などの撮影動作を行い、被写体光束を撮像素子１２に受光せしめるとともに、上述した画像変換／処理部１３および記録部１４を作動させる。その結果、画像データが画像ファイルとしてメモリカードＭＣに記録される。
なお、カメラには測光／測距部やミラー，シャッタなどの駆動部が設けられるが、それらの図示は省略する。
【００１１】
次に、背面モニタ２による表示について詳述する。
＜再生モード設定時＞
上記押しボタン３の１つである再生ボタンが操作されると、スイッチ群ＳＷ３を構成する再生モードスイッチがオンし、これに伴ってＣＰＵ２１は再生モードを設定する。再生モード設定時には、メモリカードＭＣに既に記録されている画像を選択して背面モニタ２に表示することができる。
【００１２】
図３はその表示例を示し、（ａ）では画像に加えてその画像に対する撮影データが文字で表示される。撮影データは、画像ファイルのファイル名，フォルダ名，画像サイズ，画質モードである。この状態でマルチセレクタ４を操作すと、図３（ｂ）のように撮影データに代えて撮影条件が表示される。撮影条件は、表示されている画像の撮影日付，撮影時間，撮影時の測光モード，シャッタ秒時，絞り値である。この状態で更にマルチセレクタ４が操作されると、図３（ｃ）に示すように画像のみの表示となり、以降はこれらがサイクリックに切換わる。なお、図では撮影データおよび撮影条件の項目名が記されているが、実際にはその内容が表示される。
【００１３】
＜撮影動作時＞
ＣＰＵ２１は、再生モードスイッチがオフのときには、視線検知装置２３の出力に基づいて撮影者がファインダを覗いているか否かを判定し、覗いている場合には背面モニタ２を非表示状態とする。すなわち、ファインダを覗いているということは、背面モニタ２を視認し得ない状況を意味するから、背面モニタ２への表示は無駄である。よってバックライトも含めて背面モニタ２を消灯し、画像も文字情報も非表示とする。これにより電源電池の無駄な消耗を防止できる。
【００１４】
＜撮影条件設定時＞
ＣＰＵ２１は、再生モードスイッチがオフで、かつファインダが覗かれていないときは、撮影条件の設定状況を背面モニタ２に表示する。撮影条件としては、測光モード，露出制御モード，絞り値およびシャッタ秒時が表示されるものとする。ここで、この種の撮影条件はファインダ画面内にも表示されるが、ファインダを覗いていないのであるから、ファインダ内表示は確認できない。また、ファインダを覗いていないということは、背面モニタ２を視認し得る状況をも意味する。さらに、再生モードが設定されていないということは、背面モニタ２で記録済み画像を確認する状況でないことを意味する。したがって、この場合は撮影条件の設定状況を背面モニタ２に表示することで、撮影者は撮影条件の確認や変更を背面モニタ２を見ながら行うことができる。
【００１５】
図４はその表示例を示している。撮影条件の表示部３１はモニタ画面の上部に設けられ、左から順に測光モード，露出制御モード，絞り値およびシャッタ秒時が所定の表示形態で表示される。測光モードとしては、分割測光モード、中央部重点測光モード、スポット測光モードなどがあり、いずれかがグラフィック表示される。また露出制御モードとしては、マニュアル（Ｍ）モード、プログラム（Ｐ）モード、絞り優先（Ａ）モード、シャッタ秒時（Ｔ）優先モードなどがある。勿論、撮影者が撮影条件を変更すると、それに応じて表示部３１の表示も変わる。これにより、従来カメラに設けられている撮影条件表示用の液晶パネル（上面パネル）は不要となる。
【００１６】
図４の例では、撮影条件のみならず記録済みの画像やその画像に対する情報も同時に表示されるようになっている。すなわち、上記図３（ａ）〜（ｃ）に撮影条件表示を加えたものが図４（ａ）〜（ｃ）である。図４（ｂ）では、測光モード，絞り値，シャッタ秒時に関しては、表示されている画像のもの（下）とカメラでの設定状況（上）の双方が表示されることになるが、これらが混同しないように表示形態を変えることが望ましい。
【００１７】
なお、撮影条件の設定状況を表示する際には、特に画像は表示しなくてもよく、画像を表示しないのであればバックライトを消灯してもよい。通常の明るさであれば、バックライトがなくても文字情報を確認できるからである。必要に応じてバックライトを点灯できるようにすれば、暗夜でも情報を確認できる。
【００１８】
図５は上記のモニタ表示制御をソフト的に実現するためのフローチャートを示し、カメラに電源が投入されるとこのプログラムが起動される。
ステップＳ１では、再生モードが設定されているか否かを再生スイッチの状態から判断し、再生モードであればステップＳ２で撮影条件の設定状況を非表示とし、ステップＳ３で画像表示処理を行ってステップＳ１に戻る。画像表示処理は、撮影者にて選択された記録済み画像を背面モニタ２に表示する処理であり、その詳細は省略する。
【００１９】
ステップＳ１で再生モードが設定されていないと判定されると、ステップＳ４で視線検知装置２３の出力に基づき、ファインダが覗かれているか否かを判定する。肯定されるとステップＳ５に進み、背面モニタ２を非表示状態としてステップＳ６に進む。ステップＳ６では、レリーズスイッチＳＷ２のオン・オフを判定し、オンであればステップＳ７で撮影処理を行ってステップＳ１に戻り、オフであればそのままステップＳ１に戻る。
【００２０】
一方、ステップＳ４でファインダが覗かれていないと判断されると、ステップＳ８で撮影条件の設定状況を背面モニタ２に表示する。ステップＳ９では撮影条件の変更操作がなされたか否かを判定し、肯定されるとステップＳ１０で撮影条件の変更およびその変更に応じた表示の変更を行ってステップＳ６に進み、否定されるとそのままステップＳ６に進む。
【００２１】
図６〜図９は他の表示例を示している。
図６は図４と同様の撮影条件の表示において、絞り値およびシャッタ秒時をグラフィカルに表示する例を示している（表示４１，４２）。この表示４１，４２は、一眼レフカメラの絞り設定ダイアルおよびシャッタ秒時設定ダイアルを模したもので、これらが現在の設定状況を示していることが一目瞭然で分かる。特に図６（ｂ）においては、表示された画像の絞り値やシャッタ秒時も下部に表示されているが、この下部の表示を現在の設定状況と見誤るおそれはない。
【００２２】
図６はマニュアルモード時の表示を示したが、他の露出制御モード時の表示を図７（ａ）〜（ｃ）に示す。これらはいずれも図６（ａ）に対応するものである。図７（ａ）のシャッタ秒時優先モードでは、シャッタ秒時は撮影者が変更可能であるが、絞り値はカメラが設定するため、シャッタ秒時のみを表示して絞り値は表示しない。同様に（ｂ）の絞り優先モードでは、絞り値は表示するがシャッタ秒時は表示しない。（ｃ）のプログラムモードでは、絞り値もシャッタ秒時もカメラが設定するので、いずれも表示しない。
【００２３】
図８は文字表示とグラフィカル表示とが切換可能な例を示している。対象は絞り値とシャッタ秒時であり、切換えは所定の操作によってなされる。
【００２４】
図９は画像を表示せず撮影条件の設定状況のみを表示する例を示している。これは、露出制御モードに拘わらず絞り値およびシャッタ秒時の双方を表示するが、撮影者が変更可能な方はグラフィカル表示とし、カメラが設定する方は文字表示とする。なお、カメラによる設定値は、測光および露出演算によって初めて決定するので、測光が行われていないときには表示されない。
【００２５】
ここで、背面モニタ２は従来の上面パネルと比べて大型であり、例えば図９のように絞り値やシャッタ秒時を大きくグラフィカル表示できる。しかもカラー表示が可能なので、撮影者にとって見易く、誤認や誤設定のおそれのない表示を実現できる。
【００２６】
なお、表示すべき撮影条件は上記のものに限定されず、例えば露出補正値やＡＦモードなどを表示してもよい。また複数の撮影条件のうち表示すべき項目を撮影者が選択できるようにしてもよい。
【００２７】
さらに、ファインダが覗かれているか否かの判定に視線検知装置を用いたが、ファインダを覗いたときに顔の一部が接触する箇所（アイピースなど）にタッチセンサあるいは温度センサを設け、その出力からファインダが覗かれたか否かを判定するようにしてもよい。また、ファインダが覗かれているか否かの判定は、撮影者が撮影動作を行っているか否かの代替判定であり、ファインダ以外に例えば撮影者がレリーズボタンに指をかけているときに撮影動作を行っていると判定してもよい。レリーズボタンに指をかけているか否かは、例えばレリーズボタンにタッチセンサを組み込むことで検知できる。
【図面の簡単な説明】
【００２８】
【図１】本発明の一実施形態におけるデジタルスチルカメラの背面図。
【図２】デジタルスチルカメラの制御系のブロック図。
【図３】背面モニタへの表示を説明する図で、再生モード設定時の状態を示す。
【図４】図３と同様の図で、再生モード非設定で、かつファインダが覗かれていないときの状態を示す。
【図５】モニタ表示制御の手順を示すフローチャート。
【図６】図４に相当する図で、絞り値およびシャッタ秒時をグラフィカルに表示する例を示す。
【図７】露出制御モードに応じた表示例を示す図。
【図８】文字表示とグラフィカル表示とが切換可能な例を示す図。
【図９】図７に相当する他の表示例を示す図。
【符号の説明】
【００２９】
１  ファインダ接眼部
２  画像表示用液晶モニタ（背面モニタ）
３  押しボタン
４  マルチセレクタ
１１  撮影レンズ
１２  撮像素子
２１  ＣＰＵ
２２  液晶ドライバ
２３  視線検知装置
ＳＷ１  電源スイッチ
ＳＷ２  レリーズスイッチ
ＳＷ３  スイッチ群
３１  撮影条件表示部
【図１】
2006060313.tif 000003
【図２】
2006060313.tif 000004
【図３】
2006060313.tif 000005
【図４】
2006060313.tif 000006
【図５】
2006060313.tif 000007
【図６】
2006060313.tif 000008
【図７】
2006060313.tif 000009
【図８】
2006060313.tif 000010
【図９】
2006060313.tif 000011